(57)【要約】【課題】汎用のキーリングを使用しても、不用意な施解錠キーの脱落が生じることのないキーリングによる施解錠キーの保持構造の提供を目的とする。【解決手段】弾性線材を適数回巻回してリング状に形成され、所定範囲に一般部（Ｒ１）に比して巻き数の多い重合部（Ｒ２）を備えたキーリング１を施解錠キー２の保持孔２ａに挿通させて該施解錠キー２を保持するキーリングによる施解錠キーの保持構造であって、  前記施解錠キー２をキーリング１の一般部（Ｒ１）に配置し、かつ、前記施解錠キー２と前記キーリング１の双方の巻回開始端１ａとの間には、巻回開始端１ａに当接して重合部（Ｒ２）への移動が規制されるストッパ体３が着脱可能に装着される。【選択図】  図１
2005143849.tif 000002
【特許請求の範囲】
【請求項１】
弾性線材を適数回巻回してリング状に形成され、所定範囲に一般部に比して巻き数の多い重合部を備えたキーリングを施解錠キーの保持孔に挿通させて該施解錠キーを保持するキーリングによる施解錠キーの保持構造であって、
前記施解錠キーをキーリングの一般部に配置し、かつ、前記施解錠キーと前記キーリングの双方の巻回開始端との間には、巻回開始端に当接して重合部への移動が規制されるストッパ体が着脱可能に装着されるキーリングによる施解錠キーの保持構造。
【請求項２】
弾性線材を適数回巻回してリング状に形成され、所定範囲に一般部に比して巻き数の多い重合部を備えたキーリングを施解錠キーの保持孔に挿通させて該施解錠キーを保持するキーリングに着脱可能に装着されるキー脱落防止体であって、
前記キーリングの一般部に対応し、弾性線材の双方の巻回開始端に干渉して重合部を通過不能な内径を有するストッパ体の一対を連結部の両端に形成したキー脱落防止体。
【発明の詳細な説明】
【技術分野】
【０００１】
本発明は、施解錠キーの保持構造に関するものである。
【背景技術】
【０００２】
施解錠キーを保持するためのキーリングとしては、特許文献１記載のものが知られている。この従来例において、キーリング（キーホルダ）のリング本体の先端には、膨出部が形成される。施解錠キーはリング部に保持され、膨出部は、施解錠キーにより過って先端部がこじ開けられて施解錠キーが脱離するのを防止する。
【特許文献１】特開２００３-２０４８６２号公報
【発明の開示】
【発明が解決しようとする課題】
【０００３】
しかし、上述した従来例は、両端部への異形断面部の形成を要するために、製造効率が悪いという問題がある。すなわち、通常、キーリングは、細径の鋼線等の線条体に巻回加工を施して形成されるが、巻回開始端に異形断面部を有する従来例は、線条体を巻回しながら適宜長さで切断するという手法をとることができない。
【０００４】
本発明は、以上の欠点を解消すべくなされたものであって、汎用のキーリングを使用しても、不用意な施解錠キーの脱落が生じることのないキーリングによる施解錠キーの保持構造の提供を目的とする。
【０００５】
また、本発明の他の目的は、上述した保持構造に利用可能なキー脱落防止体の提供にある。
【課題を解決するための手段】
【０００６】
本発明によれば上記目的は、
弾性線材を適数回巻回してリング状に形成され、所定範囲に一般部（Ｒ１）に比して巻き数の多い重合部（Ｒ２）を備えたキーリング１を施解錠キー２の保持孔２ａに挿通させて該施解錠キー２を保持するキーリングによる施解錠キーの保持構造であって、
前記施解錠キー２をキーリング１の一般部（Ｒ１）に配置し、かつ、前記施解錠キー２と前記キーリング１の双方の巻回開始端１ａとの間には、巻回開始端１ａに当接して重合部（Ｒ２）への移動が規制されるストッパ体３が着脱可能に装着されるキーリングによる施解錠キーの保持構造を提供することにより達成される。
【０００７】
キーリング１は、バネ鋼線材等の弾性線材を適数回巻回してリング状に形成され、施解錠キー２へのキーリング１の装着は、まず、弾性線材の巻回開始端１ａと、この巻回開始端１ａに積層状に重なる巻線部との間（図１（ｂ）において矢印Ａで示す）に施解錠キー２の材端２ｂをこじ入れた後、巻回開始端１ａを施解錠キー２の保持孔２ａに挿入し、次いで、施解錠キー２をキーリング１全体が保持孔２ａ内に挿通されるまでキーリング１の巻回方向（矢印Ｂ方向）に移動させて行われる。
【０００８】
施解錠キー２の保持孔２ａ内にキーリング１全体が挿入した状態において、施解錠キー２は、上述した手順と逆の手順によりキーリング１から脱離させることが可能であり、この脱離動作が意図しない状態で不用意に行われることのないように、キーリング１には、ストッパ体３が装着される。ストッパ体３は、キーリング１の一般部（Ｒ１）に着脱可能に装着され、装着状態において、弾性線材の巻回開始端１ａに当接して重合部（Ｒ２）への乗り上がりが規制される。
【０００９】
したがってこの発明において、キーリング１の一般部（Ｒ１）に配置された施解錠キー２と、施解錠キー２がキーリング１から脱離する際にこじ開ける必要がある弾性線材の巻回開始端１ａとの間には、ストッパ体３が介在するために、施解錠キー２が不用意にキーリング１から脱離することが完全に防止される。
【００１０】
この施解錠キー２の保持構造には、
弾性線材を適数回巻回してリング状に形成され、所定範囲に一般部（Ｒ１）に比して巻き数の多い重合部（Ｒ２）を備えたキーリング１を施解錠キー２の保持孔２ａに挿通させて該施解錠キー２を保持するキーリング１に着脱可能に装着されるキー脱落防止体であって、
前記キーリング１の一般部（Ｒ１）に対応し、弾性線材の双方の巻回開始端１ａに干渉して重合部（Ｒ２）を通過不能な内径を有するストッパ体３の一対を連結部４の両端に形成したキー脱落防止体が利用できる。
【発明の効果】
【００１１】
本発明によれば、汎用のキーリングを使用しても、不用意な施解錠キーの脱落を確実に防止できる。
【発明を実施するための最良の形態】
【００１２】
図１に２本の施解錠キー２をキーリング１を介して束ねる場合の本発明の実施の形態を示す。キーリング１は、ピアノ線等の弾性線材を適数回巻回してリング状に形成される。一般にキーリング１における線材の巻回開始端１ａ同士は平面視において一致することなく、ずれるために、巻き数が他の一般部（Ｒ１）に比して多い重合部（Ｒ２）が発生する。図１（ｂ）は、この実施の形態において、一般部（Ｒ１）における巻き数が２巻きなのに対し、重合部（Ｒ２）の巻き数が３巻きであることを示す。
【００１３】
施解錠キー２は、上述したように、線材の巻回開始端１ａから材端２ｂをこじ入れて保持孔２ａ内にキーリング１を挿通させることによりキーリング１に装着することができ、施解錠キー２は、装着後、図１（ａ）に示すように、一般部（Ｒ１）に配置され、さらに、一般部（Ｒ１）に２個のストッパ体３が装着される。
【００１４】
ストッパ体３は、図１（ｃ）に示すように、合成樹脂材により中央部にリング挿通孔３ａを備えて円板状に形成される。リング挿通孔３ａは、一般部（Ｒ１）においてのみ挿通可能で、重合部（Ｒ２）は通過不能な大きさ、すなわち、この実施の形態においては、線材２巻き分は通過可能で、３巻き分は挿通不能な大きさに形成される。また、このリング挿通孔３ａは、一般部（Ｒ１）が挿通不能な幅（Ｗ）の導入部３ｂを経由して外部に開放される。導入部３ｂの開始端には、挿入操作を容易にするためのガイド部３ｃが拡開される。このストッパ体３は、図１（ａ）に示すように、一般部（Ｒ１）に配置される施解錠キー２を重合部（Ｒ２）側から挟み込む位置に装着される。
【００１５】
ストッパ体３の装着は、ガイド部３ｃをキーリング１の一般部（Ｒ１）に押し付けることにより行うことができ、ガイド部３ｃを押し付けると導入部３ｂが弾性変形し、あるいはキーリング１側の線材の重なりがずれて一般部（Ｒ１）の線材はリング挿通孔３ａ内に導入される。リング挿通孔３ａ内に一般部（Ｒ１）を挿通させた状態でストッパ体３は、図１（ｃ）に示すように、巻回開始端１ａと干渉するために、重合部（Ｒ２）に乗り上げることができないために、施解錠キー２は巻回開始端１ａに対峙することがなくなり、キーリング１からの脱離が完全に防止される。
【００１６】
図２に本発明の第２の実施の形態を示す。この実施の形態において、キーリング１にはキー脱落防止体５が装着される。キー脱落防止体５は、合成樹脂材により、連結部４の両端部にストッパ体３を一体形成して構成される。ストッパ体３は、上述した実施の形態におけるものと同一形状を有しており、連結部４は一対のストッパ体３が重合部（Ｒ２）を跨ぐことができる程度の長さに形成される。
【００１７】
また、連結部４には、ストッパ体３のリング挿通孔３ａに一般部（Ｒ１）が挿通した状態で重合部（Ｒ２）を収容するための凹部４ａが長手通しに形成される。
したがってこの実施の形態において、キー脱落防止体５は、上述した実施の形態と同様にストッパ体３のガイド部３ｃをキーリング１の一般部（Ｒ１）に押し付けてキーリング１に装着することができる。一般部（Ｒ１）に施解錠キー２を配置した状態でストッパ体３が重合部（Ｒ２）を跨ぐ位置でキー脱落防止体５を装着すると、両端のストッパ体３は重合部（Ｒ２）に乗り上がることができないために、一般部（Ｒ１）のストッパ体３間に配置される施解錠キー２が巻回開始端１ａに対峙することはなく、施解錠キー２の不用意な脱落が防止される。
【図面の簡単な説明】
【００１８】
【図１】本発明を示す図で、（ａ）はキーリングに施解錠キーを挿通させた状態を示す正面図、（ｂ）はキーリングの側面図、（ｃ）は（ａ）の１Ｃ-１Ｃ線断面図である。
【図２】本発明の第２の実施の形態を示す図で、（ａ）はキーリングに施解錠キーを挿通させた状態を示す半断面図、（ｂ）は（ａ）の２Ｂ方向矢視図、（ｃ）は（ｂ）の２Ｃ-２Ｃ線断面図である。
【符号の説明】
【００１９】
１        キーリング
１ａ      巻回開始端
２        施解錠キー
２ａ      保持孔
３        ストッパ体
４        連結部
キー脱落防止体５
Ｒ１      一般部
Ｒ２      重合部
【図１】
2005143849.tif 000003
【図２】
2005143849.tif 000004